(57)【特許請求の範囲】
【請求項１】
所定の処理が行われた媒体を排出する排出口と、
互いに対向する第１ガイド及び第２ガイドにより形成され、ほぼ水平に沿って形成され前記媒体を搬送するローラが配された水平搬送路と、前記ローラよりも前記排出口側において前記水平搬送路に対し前記排出口へ向かって下向きに屈曲する排出搬送路とを有し、前記媒体を前記排出口に搬送する搬送路と、
前記第１ガイドにおける前記排出搬送路に設けられ、前記排出口から挿入された異物の侵入を防止する第１異物侵入防止部と、
前記第１ガイドに設けられ、前記排出口から前記第１異物侵入防止部までに亘って形成された平面形状の上側前部搬送面と、
前記第２ガイドに設けられ、前記第１ガイドとの隙間が前記排出口側よりも後側の方が狭くなり、前記排出口から挿入された前記異物を前記第１異物侵入防止部に誘導する誘導部と、
前記第２ガイドにおける前記誘導部の後方に形成され、後方へ向かうに連れて前記第１ガイドの前記上側前部搬送面から徐々に離れる平面である下側前部搬送面と
を有し、
前記第１ガイドは、前記第２ガイドの上側に位置しており、
前記誘導部の延長線が前記第１ガイドと交差する箇所の位置は、前記第１異物侵入防止部よりも前記排出口側であり、
前記第１異物侵入防止部は、上下左右方向に延びる平面である後側停止面と、該後側停止面の上端部である停止部から前方に向かって前後左右方向に延びる上側停止面とを有し、前記後側停止面と、該後側停止面の下端部から前記ローラに向かって延びる上側後部搬送面とが接触している箇所である後側突起部は、前記上側停止面の前端部から下方に延びる壁面と前記上側前部搬送面とが接触している箇所である前側突起部よりも下側に位置しており、
前記第１ガイドの前記上側前部搬送面は、前記第２ガイドの前記下側前部搬送面よりも垂直に近い角度に傾斜している
媒体取引装置。
【請求項２】
前記隙間は、前記排出口側から後側に向かうに連れて徐々に狭くなる
請求項１に記載の媒体取引装置。
【請求項３】
前記誘導部は、前記排出口側から後側に向かうに連れて前記第１ガイドに近づくよう傾斜している
請求項２に記載の媒体取引装置。
【請求項４】
前記第１異物侵入防止部は、前記異物の先端が当接した際に、該異物の前側の端部が前記排出口よりも前側に位置するよう配される
請求項１に記載の媒体取引装置。
【請求項５】
前記誘導部は、平面である
請求項３に記載の媒体取引装置。
【請求項６】
前記第２ガイドにおいて前記第１異物侵入防止部よりも後側に設けられ、先端が前記第１異物侵入防止部よりも後側へ挿入された前記異物の侵入を防止する第２異物侵入防止部
をさらに有する請求項１に記載の媒体取引装置。
【請求項７】
前記排出口は下向きであり、
前記第２異物侵入防止部における後側の最上部は、前記第１異物侵入防止部における後側の最下部よりも上側に位置している
請求項６に記載の媒体取引装置。
【請求項８】
前記隙間のうち最も狭くなる箇所は、前記媒体の厚みより僅かに厚く形成されている
請求項１に記載の媒体取引装置。
【請求項９】
前記媒体は、取引内容が印字されたレシートである
請求項１に記載の媒体取引装置。
【請求項１０】
所定の処理が行われた媒体を排出する排出口と、
互いに対向する第１ガイド及び第２ガイドにより形成され、前記媒体を前記排出口に搬送する搬送路と、
前記第１ガイドに設けられ、前記排出口から挿入された異物の侵入を防止する第１異物侵入防止部と、
前記第２ガイドに設けられ、前記第１ガイドとの隙間が前記排出口側よりも奥側の方が狭くなり、前記排出口から挿入された前記異物を前記第１異物侵入防止部に誘導する誘導部と、
前記第２ガイドにおいて前記第１異物侵入防止部よりも奥側に設けられ、先端が前記第１異物侵入防止部よりも奥側へ挿入された前記異物の侵入を防止する第２異物侵入防止部と
を有する媒体取引装置。
【発明の詳細な説明】
【技術分野】
【０００１】
本発明は媒体取引装置に関し、例えば紙幣等の媒体を投入して所望の取引を行う現金自動取引装置（ＡＴＭ:Automated Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う入出金部と、投入された紙幣の金種及び真偽を鑑別する鑑別部と、投入された紙幣を一時的に保留する一時保留部と、紙幣を搬送する搬送部と、金種毎に紙幣を格納する紙幣収納庫とを有するものがある。このような現金自動取引装置には、取引に関する情報が印刷されたレシートを排出するレシート排出部が設けられているものがある（例えば、特許文献１参照）。
【先行技術文献】
【特許文献】
【０００３】
【特許文献１】特開２０１５−４９５７１号公報
【発明の概要】
【発明が解決しようとする課題】
【０００４】
このような現金自動取引装置においては、レシート排出部を介した外部からの異物の侵入をより一層防止することが望まれている。
【０００５】
本発明は以上の点を考慮してなされたもので、異物の侵入をより一層防止し得る媒体取引装置を提案しようとするものである。
【課題を解決するための手段】
【０００６】
かかる課題を解決するため本発明の媒体取引装置においては、所定の処理が行われた媒体を排出する排出口と、互いに対向する第１ガイド及び第２ガイドにより形成され、ほぼ水平に沿って形成され媒体を搬送するローラが配された水平搬送路と、ローラよりも排出口側において水平搬送路に対し排出口へ向かって下向きに屈曲する排出搬送路とを有し、媒体を排出口に搬送する搬送路と、第１ガイドにおける排出搬送路に設けられ、排出口から挿入された異物の侵入を防止する第１異物侵入防止部と、第１ガイドに設けられ、排出口から第１異物侵入防止部までに亘って形成された平面形状の上側前部搬送面と、第２ガイドに設けられ、第１ガイドとの隙間が排出口側よりも後側の方が狭くなり、排出口から挿入された異物を第１異物侵入防止部に誘導する誘導部と、第２ガイドにおける誘導部の後方に形成され、後方へ向かうに連れて第１ガイドの上側前部搬送面から徐々に離れる平面である下側前部搬送面とを設け、第１ガイドは、第２ガイドの上側に位置しており、誘導部の延長線が第１ガイドと交差する箇所の位置は、第１異物侵入防止部よりも排出口側であり、第１異物侵入防止部は、上下左右方向に延びる平面である後側停止面と、該後側停止面の上端部である停止部から前方に向かって前後左右方向に延びる上側停止面とを有し、後側停止面と、該後側停止面の下端部からローラに向かって延びる上側後部搬送面とが接触している箇所である後側突起部は、上側停止面の前端部から下方に延びる壁面と上側前部搬送面とが接触している箇所である前側突起部よりも下側に位置しており、第１ガイドの上側前部搬送面は、第２ガイドの下側前部搬送面よりも垂直に近い角度に傾斜しているようにした。
【０００７】
本発明では、挿入された異物の先端を異物侵入防止部に誘導することにより、該先端をより一層異物侵入防止部に当接させることができる。
【発明の効果】
【０００８】
本発明によれば、挿入された異物の先端を異物侵入防止部に誘導することにより、該先端を異物侵入防止部により一層当接させることができる。かくして本発明は、異物の侵入をより一層防止し得る媒体取引装置を実現できる。
【図面の簡単な説明】
【０００９】
【図１】現金自動取引装置の構成を示す斜視図である。
【図２】レシートプリンタの構成を示す右側面図である。
【図３】レシート発行動作を示す右側面図である。
【図４】第１の実施の形態によるレシート排出部の構成（１）を示す右側面図である。
【図５】第１の実施の形態によるレシート排出部の構成（２）を示す右側面図である。
【図６】第１の実施の形態によるレシート排出部において異物が挿入された状態（１）を示す右側面図である。
【図７】第１の実施の形態によるレシート排出部において異物が挿入された状態（２）を示す右側面図である。
【図８】第２の実施の形態によるレシート排出部の構成を示す右側面図である。
【図９】第２の実施の形態によるレシート排出部において異物が挿入された状態（１）を示す右側面図である。
【図１０】第２の実施の形態によるレシート排出部において異物が挿入された状態（２）を示す右側面図である。
【図１１】他の実施の形態によるレシート排出部の構成（１）を示す右側面図である。
【図１２】他の実施の形態によるレシート排出部の構成（２）を示す右側面図である。
【図１３】他の実施の形態によるレシート排出部の構成（３）を示す右側面図である。
【発明を実施するための形態】
【００１０】
以下、発明を実施するための形態（以下実施の形態とする）について、図面を用いて説明する。
【００１１】
［１．第１の実施の形態］
［１−１．現金自動取引装置の構成］
図１に示すように、現金自動取引装置１は、箱状の筐体２を中心に構成されており、例えば金融機関等に設置され、顧客との間で入金取引や出金取引等の現金に関する取引を行う。筐体２は、前面がＬ字形状となっており、この部分に顧客応対部３が設けられている。
【００１２】
顧客応対部３は、カード入出口４、入出金口５、操作表示部６及びレシート排出部７が設けられており、顧客との間で通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。レシート排出部７は、取引処理の終了時に取引内容等を印字したレシートを排出する部分である。レシート排出部７の奥側には、レシートに印字を行い搬送して該レシート排出部７から排出するレシートプリンタ１０が設けられている。このレシート排出部７は、レシートが排出される開口である図４に示す排出開口部３２が下向きに形成されており、レシートを下向きに排出する。
【００１３】
筐体２内には、現金自動取引装置１全体を統括制御する主制御部８や、紙幣に関する種々の処理を行う紙幣入出金機９等が設けられている。主制御部８は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して入金取引や出金取引等の種々の処理を行う。以下では、現金自動取引装置１のうち利用者が対峙する側を前側とし、その反対を後側とし、該前側に対峙した利用者から見て左及び右をそれぞれ左側及び右側とし、さらに上側及び下側を定義して説明する。
【００１４】
［１−２．レシートプリンタの構成］
図２に示すようにレシートプリンタ１０は、主制御部８からデータを受け取りレシートに印字して該レシートを排出するプリンタであり、搬送路１２、プラテンローラ１４、サーマルヘッド１６、カッタ１８、搬送ローラ２０及び２２並びにモータ２４及び２６により構成されている。搬送路１２は、互いに対向し上側に位置する上側ガイド２８（図４）と下側に位置する下側ガイド３０（図４）とにより構成されており、連続用紙と、該連続用紙が規定のサイズで裁断されたレシートとを搬送する。プラテンローラ１４は、図３（Ａ）に示す連続用紙ＣＰに当接して回転することにより該連続用紙ＣＰをレシート排出部７へ向けて搬送する。サーマルヘッド１６は、連続用紙ＣＰに取引内容の印字を行う。カッタ１８は、連続用紙ＣＰを規定のサイズで裁断することによりレシートＲＰ（図３（Ｃ））を作成する。搬送ローラ２０及び２２はそれぞれ上下に対向するローラであり、排出開口部３２よりも上方に配され、レシートＲＰに当接して回転することにより、該レシートＲＰをレシート排出部７へ向けて搬送する。モータ２４は、回転駆動力を発生させることによりプラテンローラ１４を回転させる。モータ２６は、回転駆動力を発生させることにより搬送ローラ２０及び２２を回転させる。
【００１５】
かかる構成においてレシートを発行するレシート発行動作を行う際、図３（Ａ）に示すようにレシートプリンタ１０は主制御部８に基づき、モータ２４の駆動軸を回転させることによりプラテンローラ１４を回転させ、後方からレシート排出部７へ向かう排出方向へ連続用紙ＣＰを搬送する。このときレシートプリンタ１０は、サーマルヘッド１６で連続用紙ＣＰに印字をする。またレシートプリンタ１０は、モータ２４を回転させると同時にモータ２６の駆動軸を回転させることにより、連続用紙ＣＰを排出方向へ搬送する方向である排出回転方向へ搬送ローラ２０及び２２を回転させる。レシートプリンタ１０は、図３（Ｂ）に示すように連続用紙ＣＰを裁断した際にレシートＲＰが規定のサイズとなる位置まで該連続用紙ＣＰを搬送し、所定の位置に該連続用紙ＣＰが来たときモータ２４及び２６を止めることにより該連続用紙ＣＰの搬送を停止させる。続いてレシートプリンタ１０は図３（Ｃ）に示すように、カッタ１８で連続用紙ＣＰを裁断し、レシートＲＰを生成する。裁断後にレシートプリンタ１０は、再びモータ２６を回転させレシートＲＰをレシート排出部７まで搬送し顧客に受け渡す。
【００１６】
図４に示すように上側ガイド２８及び下側ガイド３０は、レシートＲＰの紙面と対向し後方から前方へ向かうに連れて下方へ向かう上側搬送面２８Ｓ及び下側搬送面３０Ｓをそれぞれ有しており、互いの搬送面の間にレシートＲＰの搬送路１２を形成している。この搬送路１２は、搬送ローラ２２の後方から前方までほぼ水平方向に沿って延び、該搬送ローラ２２が配された水平搬送路１２Ｂと、該搬送ローラ２２の前方において該水平搬送路１２Ｂの前端で該水平搬送路１２Ｂに対し屈曲し排出開口部３２へ向かって前方斜め下向きに延びる排出搬送路１２Ｆとを有している。
【００１７】
［１−３．レシート排出部の構成］
上側ガイド２８には、下側ガイド３０から離隔する上方向へ向かって凹設された空隙であり異物の侵入を防止する第１異物侵入防止部３４が形成されている。第１異物侵入防止部３４は、上下左右方向に延びる平面である後側停止面３４ＳＢと、該後側停止面３４ＳＢの上端部である停止部３４Ｓから前方に向かって前後左右方向に延びる平面である上側停止面３４ＳＵとが形成されている。上側ガイド２８には、排出開口部３２から第１異物侵入防止部３４までに亘って、平面形状の上側前部搬送面２８ＳＦが形成されている。また上側ガイド２８には、搬送ローラ２２の前方から第１異物侵入防止部３４までに亘って、平面形状の上側後部搬送面２８ＳＢが形成されている。以下では後側停止面３４ＳＢと上側後部搬送面２８ＳＢとが接触している箇所を後側突起部３４ＥＢと呼び、上側停止面３４ＳＵの前端部から下方に延びる壁面と上側前部搬送面２８ＳＦとが接触している箇所を前側突起部３４ＥＦと呼ぶ。図４において一点鎖線で示すように後側突起部３４ＥＢは前側突起部３４ＥＦよりも下側に位置している。
【００１８】
この第１異物侵入防止部３４は、図７に示すように、上側ガイド２８の先端から第１異物侵入防止部３４の停止部３４Ｓまでの長さである第１異物侵入防止部深さＬ１が、例えばキャッシュカードの長辺方向の長さの２／３程度の長さに設定されている。キャッシュカードは、例えば、長辺方向の長さが８５．６０ｍｍ、短辺方向の長さが５３．９８ｍｍとなっている。
【００１９】
下側ガイド３０には、該下側ガイド３０の先端部である下側搬送面先端部３０Ｆから後方へ向かうに連れて上側ガイド２８の上側前部搬送面２８ＳＦに徐々に近づくよう、該上側前部搬送面２８ＳＦに対し傾斜する平面である誘導部４０が形成されている。また下側ガイド３０における誘導部４０の後端部である突出部４２よりも後方には、後方へ向かうに連れて上側前部搬送面２８ＳＦから徐々に離れる平面である下側前部搬送面３０ＳＦが形成されている。ここで、誘導部４０は、上側前部搬送面２８ＳＦに対し、該誘導部４０の壁面に沿う延長線が上側前部搬送面２８ＳＦと交差する誘導方向交点Ｐ１が、第１異物侵入防止部３４における前側突起部３４ＥＦよりも排出開口部３２側に位置する程度の角度で形成されている。また、下側搬送面先端部３０Ｆは、上側ガイド２８の下側先端部である上側搬送面先端部２８Ｆよりも後ろに位置することにより、ユーザが排出開口部３２を視認し難くしている。
【００２０】
このため、図５に示すように、上側前部搬送面２８ＳＦと突出部４２との隙間である後隙間部４６の距離である隙間Ｃｔｎは、上側前部搬送面２８ＳＦと下側搬送面先端部３０Ｆとの隙間である前隙間部４４の距離である隙間Ｃｔｋよりも短くなり、前隙間部４４から後隙間部４６に向かって、上側搬送面２８Ｓと下側搬送面３０Ｓとの間隔が徐々に狭くなっている。
【００２１】
レシート排出部７は、隙間Ｃｔｋを、キャッシュカード等、厚さが規格で定められているカードの厚さ（例えば０．７６ｍｍ）よりも薄く設定することにより、外部からキャッシュカード等が内部へ挿入されることを防止している。またレシート排出部７は、隙間Ｃｔｎを、レシートＲＰの厚さよりも僅かに厚く、レシートＲＰが通過可能な最小限の隙間に設定することにより、レシートＲＰを外部へ排出可能にしている。このようにレシート排出部７は、カードの誤挿入防止とレシートの搬送とを両立させている。
【００２２】
ここで、異物ＦＳとして、キャッシュカードよりも薄い、例えば名刺が排出開口部３２からユーザによって挿入されて無理矢理押し込まれた場合、図６に示すように、該異物ＦＳは、誘導部４０によって先端が上側ガイド２８に近づくよう上向き方向に誘導され、先端が上側前部搬送面２８ＳＦに当接しつつ後方へ移動する。さらに異物ＦＳが後方へ押し込まれると、該異物ＦＳは屈曲し先端が上側前部搬送面２８ＳＦに常に当接しつつ摺動して後方へ移動し、図７に示すように先端が停止部３４Ｓに当接することにより停止する。このとき、第１異物侵入防止部深さＬ１は、一般的な名刺の長辺方向の長さとほぼ同等のであるキャッシュカードの長辺方向の長さの２／３程度の長さに設定されているため、上側ガイド２８の先端よりも前側へ露出する異物ＦＳの長さである露出長さＬＥ１は、名刺の長辺方向の長さの１／３程度の長さとなる。このためレシート排出部７は、異物ＦＳが完全にはレシート排出部７の内部に入りきらないようにしユーザに紛失させないようにすると共に、先端が第１異物侵入防止部３４で停止した異物ＦＳの後端部をユーザが指で摘んで前方へ引っ張り、該レシート排出部７から取り除きやすくさせることができる。
【００２３】
［１−４．効果等］
以上の構成においてレシート排出部７は、上側ガイド２８に第１異物侵入防止部３４を設けると共に、下側ガイド３０に、上側ガイド２８との隙間が排出開口部３２よりも奥側の方が狭くなり、該排出開口部３２から挿入された異物ＦＳを第１異物侵入防止部３４に誘導する誘導部４０を設けるようにした。これによりレシート排出部７は、異物ＦＳの先端を上側前部搬送面２８ＳＦに当接させることができ、該異物ＦＳの先端を確実に第１異物侵入防止部３４に入らせるようにでき、現金自動取引装置１内部への異物ＦＳの侵入を防止できる。
【００２４】
またレシート排出部７は、異物ＦＳの後端が排出開口部３２から露出した状態で該異物ＦＳがそれ以上侵入しないようにしたため、異物ＦＳを誤挿入したことをユーザに明確に認識させることができる共に、該異物ＦＳをレシート排出部７から抜き取りやすくすることができる。
【００２５】
またレシート排出部７は、誘導部４０の壁面の延長線が上側前部搬送面２８ＳＦと交差する誘導方向交点Ｐ１を、第１異物侵入防止部３４よりも排出開口部３２側に位置させるようにした。これによりレシート排出部７は、上側前部搬送面２８ＳＦに異物ＦＳの先端を当接させることができ、確実に該異物ＦＳの先端を第１異物侵入防止部３４に誘導できる。
【００２６】
またレシート排出部７は、下側搬送面３０Ｓの形状を従来のレシート排出部から変更するだけで良いため、シャック機構等を追加する必要がなく、簡素な構成とすることができると共に、従来よりもコストが大幅に上昇してしまうことを防止できる。
【００２７】
さらにレシート排出部７は、下側前部搬送面３０ＳＦと誘導部４０とを互いに大きく角度を変えないようにし、可能な限り平面状に滑らかにつながるようにした。これによりレシート排出部７は、レシートが排出途中で曲がったり折れたりして詰まってしまうことを防止できる。
【００２８】
さらに、特開平７−３０２３６５号のように、搬送路の上下に突起部を配置することにより、異物の侵入を防止するレシート排出部がある。しかしながら、そのようなレシート排出部の場合、レシートが突起部で無理矢理に湾曲させられるためにレシートが折れたり傷んだり、カールしたレシートが突起部で詰まったりする可能性があった。これに対しレシート排出部７は、隙間Ｃｔｎを、レシートＲＰが通過可能な最小限の隙間に設定すると共に、下側前部搬送面３０ＳＦと誘導部４０とを互いに大きく角度を変えないようにした。これによりレシート排出部７は、レシートが折れたり傷んだりすることを防止し、カールしたレシートであっても詰まったりすることを防止できる。
【００２９】
またレシート排出部７は、後側突起部３４ＥＢを前側突起部３４ＥＦよりも下側に位置させるようにした。このためレシート排出部７は、先端が上側前部搬送面２８ＳＦに当接しつつ下方から上方向かって移動する異物ＦＳの先端を確実に上側停止面３４ＳＵ又は後側停止面３４ＳＢに当接させ、停止部３４Ｓに導くことができる。
【００３０】
また従来のレシート排出部においては、シャッタ機構を追加することにより異物の誤挿入を防止するものがあったが、その場合、シャッタ機構を追加するため、構成が複雑になってしまった。これに対しレシート排出部７は、上側ガイド２８に第１異物侵入防止部３４を設け、下側ガイド３０に誘導部４０を設けるだけであるため、別途シャッタ機構を追加することなく、構成が複雑化してしまわないようにできる。
【００３１】
また従来のレシート排出部においては、排出搬送路ではなく、水平搬送路における搬送ローラよりも排出開口部寄りに第１異物侵入防止部を設けるものがあったが、その場合、第１異物侵入防止部をさらに排出開口部寄りに形成することが困難であるため設計の自由度が低かった。これに対しレシート排出部７は、排出搬送路に第１異物侵入防止部を設けるようにした。このためレシート排出部７は、排出搬送路内の任意の箇所に第１異物侵入防止部を設けることができ、設計の自由度を高めることができる。
【００３２】
以上の構成によればレシート排出部７は、所定の処理が行われた媒体としてのレシートを排出する排出開口部３２と、互いに対向する第１ガイドとしての上側ガイド２８及び第２ガイドとしての下側ガイド３０により形成され、レシートを排出開口部３２に搬送する搬送路１２と、上側ガイド２８に設けられ、排出開口部３２から挿入された異物ＦＳの侵入を防止する第１異物侵入防止部３４と、下側ガイド３０に設けられ、上側ガイド２８との隙間が排出開口部３２側よりも奥側の方が狭くなり、排出開口部３２から挿入された異物ＦＳを第１異物侵入防止部に誘導する誘導部４０とを設けるようにした。これによりレシート排出部７は、挿入された異物ＦＳの先端を第１異物侵入防止部３４に誘導することにより、該先端を第１異物侵入防止部３４により一層当接させることができる。
【００３３】
［２．第２の実施の形態］
［２−１．現金自動取引装置及びレシート排出部の構成］
図１に示すように、第２の実施の形態による現金自動取引装置１０１は、第１の実施の形態による現金自動取引装置１と比べて、顧客応対部１０３のレシート排出部１０７が顧客応対部３のレシート排出部７と異なっているものの、それ以外は同様に構成されている。図４と対応する部材に同一符号を付した図８に示すように、第２の実施の形態によるレシート排出部１０７は、第１の実施の形態によるレシート排出部７と比べて、下側ガイド１３０が下側ガイド３０と異なっているものの、それ以外は同様に構成されている。
【００３４】
下側ガイド１３０には、上側ガイド２８から離隔する下方向へ向かって凹設された空隙であり異物の侵入を防止する第２異物侵入防止部５０が、第１異物侵入防止部３４よりも搬送ローラ２２側である後方であり、且つ下側に形成されている。第２異物侵入防止部５０は、前後左右方向に延びる平面である下側停止面５０ＳＤと、該下側停止面５０ＳＤの後端部である停止部５０Ｓから前方に向かうに連れて上方へ傾いて延びる平面である後側停止面５０ＳＢとが形成されている。下側ガイド１３０には、突出部４２から第２異物侵入防止部５０までに亘って、平面形状の下側前部搬送面１３０ＳＦが形成されている。また下側ガイド１３０には、搬送ローラ２２の前方から第２異物侵入防止部５０までに亘って、平面形状の下側後部搬送面１３０ＳＢが形成されている。以下では後側停止面５０ＳＢと下側後部搬送面１３０ＳＢとが接触している箇所を後側突起部５０ＥＢと呼び、下側停止面５０ＳＤと下側前部搬送面１３０ＳＦとが接触している箇所を前側突起部５０ＥＦと呼ぶ。図８において一点鎖線で示すように第２異物侵入防止部５０の後側突起部５０ＥＢは第１異物侵入防止部３４の後側突起部３４ＥＢよりも上側に位置している。
【００３５】
この第２異物侵入防止部５０は、図１０に示すように、下側ガイド１３０の先端から第２異物侵入防止部５０の停止部５０Ｓまでの長さである第２異物侵入防止部深さＬ２が、例えばキャッシュカードの長辺方向の長さの３／４程度の長さに設定されている。
【００３６】
ここで、異物ＦＳとして、後方端部が下方向に向かうように湾曲している名刺が排出開口部３２からユーザによって挿入されて無理矢理押し込まれた場合、該異物ＦＳは、誘導部４０によって先端が上側ガイド２８に近づくよう上向き方向に誘導され、先端が上側前部搬送面２８ＳＦに当接しつつ後方へ移動するものの、図９に示すように、先端が停止部３４Ｓに当接せず後側突起部３４ＥＢを越えてさらに後方へ移動してしまう場合がある。さらに異物ＦＳが後方へ押し込まれると、該異物ＦＳは屈曲し先端が下側停止面５０ＳＤに当接しつつ摺動して後方へ移動し、図１０に示すように先端が停止部５０Ｓに当接することにより停止する。このとき、第２異物侵入防止部深さＬ２は、一般的な名刺の長辺方向の長さとほぼ同等のであるキャッシュカードの長辺方向の長さの３／４程度の長さに設定されているため、下側ガイド１３０の先端よりも前側へ露出する異物ＦＳの長さである露出長さＬＥ２は、名刺の長辺方向の長さの１／４程度の長さとなる。このためレシート排出部１０７は、異物ＦＳが完全にはレシート排出部１０７の内部に入りきらないようにしユーザに紛失させないようにすると共に、先端が第２異物侵入防止部５０で停止した異物ＦＳの後端部をユーザが指で摘んで前方へ引っ張り、該レシート排出部１０７から取り除きやすくさせることができる。
【００３７】
このようにレシート排出部１０７は、下側ガイド１３０における上側ガイド２８よりも奥側に、第２異物侵入防止部５０を設けるようにした。これによりレシート排出部１０７は、第１異物侵入防止部３４を越えた異物ＦＳの先端を第２異物侵入防止部５０へ入らせるようにでき、湾曲した異物ＦＳであっても現金自動取引装置１０１内部への侵入を防止できる。
【００３８】
またレシート排出部１０７は、後側突起部３４ＥＢを後側突起部５０ＥＢよりも下側に位置させるようにした。このためレシート排出部１０７は、後側突起部３４ＥＢを越えて後方へ侵入した異物ＦＳの先端を確実に後側停止面５０ＳＢに当接させ、停止部５０Ｓに導くことができる。
【００３９】
その他第２の実施の形態によるレシート排出部１０７は、第１の実施の形態によるレシート排出部７とほぼ同様の作用効果を奏する。
【００４０】
［３．他の実施の形態］
なお上述した実施の形態においては、誘導部４０を平面とする場合について述べた。本発明はこれに限らず、図１１に示すレシート排出部２０７における下側ガイド２３０の誘導部２４０のように階段形状としても良く、図１２に示すレシート排出部３０７における下側ガイド３３０の誘導部３４０のように後方に向かうに連れて上側前部搬送面２８ＳＦに近づく湾曲面形状としても良く、または前後方向に間隔を空けて左右方向に延び後方へ向かうに連れて上側前部搬送面２８ＳＦとの間隔が狭くなるような複数本のリブを形成しても良い。要は、上側前部搬送面２８ＳＦとの間隔が排出開口部３２よりも奥側の方が狭くなる誘導部を形成すれば良い。
【００４１】
また上述した第１の実施の形態においては、上側ガイド２８に第１異物侵入防止部３４を、下側ガイド３０に誘導部４０をそれぞれ形成する場合について述べた。本発明はこれに限らず、図１３に示すレシート排出部４０７のように、上側ガイド４２８に誘導部４４０を、下側ガイド４３０に第１異物侵入防止部４３４をそれぞれ形成しても良い。第２の実施の形態においても同様である。
【００４２】
さらに上述した第１の実施の形態においては前方斜め下向きに延びる排出搬送路１２Ｆに第１異物侵入防止部３４を、第２の実施の形態においては前方斜め下向きに延びる排出搬送路１２Ｆに第１異物侵入防止部３４及び第２異物侵入防止部５０を形成する場合について述べた。本発明はこれに限らず、水平方向に沿って延びる排出搬送路に第１異物侵入防止部及び第２異物侵入防止部を形成しても良い。
【００４３】
さらに上述した実施の形態においては、誘導方向交点Ｐ１が前側突起部３４ＥＦよりも排出開口部３２側に位置する程度の角度で上側前部搬送面２８ＳＦに対し誘導部４０を設ける場合について述べた。本発明はこれに限らず、少なくとも誘導方向交点Ｐ１が後側突起部３４ＥＢよりも排出開口部３２側に位置する程度の角度で上側前部搬送面２８ＳＦに対し誘導部４０を設ければ、異物ＦＳを第１異物侵入防止部３４に引っ掛けやすくすることができる。
【００４４】
さらに上述した実施の形態においては、異物ＦＳとしての名刺の誤挿入を防止する場合について述べた。本発明はこれに限らず、キャッシュカードやポイントカード等、他の種々の異物の誤挿入を防止するようにしても良い。その場合、隙間Ｃｔｎを、特に誤挿入を防止したい異物に対応した距離に設定すれば良い。
【００４５】
さらに上述した実施の形態においては、第１異物侵入防止部深さＬ１をキャッシュカードの長辺方向の長さの２／３程度の長さに、第２異物侵入防止部深さＬ２をキャッシュカードの長辺方向の長さの３／４程度の長さに設定する場合について述べた。本発明はこれに限らず、第１異物侵入防止部深さＬ１及び第２異物侵入防止部深さＬ２は任意の値に設定して良い。
【００４６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００４７】
さらに上述した実施の形態においては、現金を取引する現金自動取引装置１及び１０１において本発明を適用する場合について述べた。本発明はこれに限らず、例えば債権、証書、商品券、金券や入場券等のような薄い紙状の媒体を鑑別する種々の装置に適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００４８】
さらに上述した実施の形態においては、排出口としての排出開口部３２と、搬送路としての搬送路１２と、第１異物侵入防止部としての第１異物侵入防止部３４と、誘導部としての誘導部４０とによって、媒体取引装置としての現金自動取引装置１を構成する場合について述べた。本発明はこれに限らず、その他種々の構成でなる排出口と、搬送路と、第１異物侵入防止部と、誘導部とによって、媒体取引装置を構成しても良い。
【産業上の利用可能性】
【００４９】
本発明は、媒体を排出する種々の装置でも利用できる。
【符号の説明】
【００５０】
１、１０１……現金自動取引装置、２……筐体、３、１０３……顧客応対部、４……カード入出口、５……入出金口、６……操作表示部、７、１０７、２０７、３０７、４０７……レシート排出部、８……主制御部、９……紙幣入出金機、１０……レシートプリンタ、１２……搬送路、１２Ｂ……水平搬送路、１２Ｆ……排出搬送路、１４……プラテンローラ、１６……サーマルヘッド、１８……カッタ、２０、２２……搬送ローラ、２４……モータ、２６……モータ、２８、４２８……上側ガイド、２８Ｓ……上側搬送面、２８ＳＦ……上側前部搬送面、２８ＳＢ……上側後部搬送面、２８Ｆ……上側搬送面先端部、３０、１３０、４３０……下側ガイド、３０Ｓ……下側搬送面、３０ＳＦ、１３０ＳＦ……下側前部搬送面、１３０ＳＢ……下側後部搬送面、３０Ｆ……下側搬送面先端部、３２……排出開口部、３４、４３４……第１異物侵入防止部、３４ＳＢ……後側停止面、３４ＳＵ……上側停止面、３４Ｓ……停止部、３４ＥＦ……前側突起部、３４ＥＢ……後側突起部、４０、２４０、３４０、４４０……誘導部、４２……突出部、４４……前隙間部、４６……後隙間部、５０……第２異物侵入防止部、５０ＳＢ……後側停止面、５０ＳＤ……下側停止面、５０Ｓ……停止部、５０ＥＦ……前側突起部、５０ＥＢ……後側突起部、ＣＰ……連続用紙、ＲＰ……レシート、ＦＳ……異物、ＬＥ１、ＬＥ２……露出長さ、Ｐ１……誘導方向交点、Ｌ１……第１異物侵入防止部深さ、Ｌ２……第２異物侵入防止部深さ、Ｃｔｋ……隙間、Ｃｔｎ……隙間。
【図１】
0006716901.tif 000002
【図２】
0006716901.tif 000003
【図３】
0006716901.tif 000004
【図４】
0006716901.tif 000005
【図５】
0006716901.tif 000006
【図６】
0006716901.tif 000007
【図７】
0006716901.tif 000008
【図８】
0006716901.tif 000009
【図９】
0006716901.tif 000010
【図１０】
0006716901.tif 000011
【図１１】
0006716901.tif 000012
【図１２】
0006716901.tif 000013
【図１３】
0006716901.tif 000014